(57)【要約】【課題】浴室壁から隔れた取付け板に浴室用テレビを取付ける方法を提供する。【解決手段】取付け板に貫通孔を形成し；小径部とフランジ部とからなるフランジ付き中空管を、取付け板の貫通孔に挿通し；浴室雰囲気と内部を隔離する可撓性密封配管であって、両端に接続部品を取付けた可撓性密封配管を用意し；取付け板から突出したフランジ付き中空管の小径部に、可撓性密封配管の一方の接続部品を接続し；浴室壁に貫通孔を形成し；小径部とフランジ部とからなる、フランジ付き中空管を、浴室壁の貫通孔に挿通し；浴室壁から突出したフランジ付き中空管の小径部に、可撓性密封配管の他方の接続部品を接続する；ことを特徴とする浴室用テレビの取付け方法である。【選択図】    図１
2004275333.tif 000002
【特許請求の範囲】
【請求項１】
浴室壁から隔れた取付け板に浴室用テレビを取付ける方法であって、
取付け板に貫通孔を形成し、
小径部とフランジ部とからなるフランジ付き中空管を、取付け板の貫通孔に挿通し、
浴室雰囲気と内部を隔離する可撓性密封配管であって、両端に接続部品を取付けた可撓性密封配管を用意し、
取付け板から突出したフランジ付き中空管の小径部に、可撓性密封配管の一方の接続部品を接続し、
浴室壁に貫通孔を形成し、
小径部とフランジ部とからなる、フランジ付き中空管を、浴室壁の貫通孔に挿通し、
浴室壁から突出したフランジ付き中空管の小径部に、可撓性密封配管の他方の接続部品を接続し、
浴室用テレビの後面から外へ引き出る電気配線を取付け板に取付けたフランジ付き中空管の内部へ通し、さらに、可撓性密封配管の内部へ通し、続いて、浴室壁に取付けたフランジ付き中空管の内部を通して、浴室外へ至らせる、
浴室用テレビの取付け方法。
【請求項２】
取付け板の貫通孔には、前面側に座くりを設け、また浴室壁の貫通孔には外面側に座くりを設けることを特徴とする請求項１に記載の浴室用テレビの取付け方法。
【請求項３】
浴室壁から隔れた取付け板に浴室用テレビを取付ける方法であって、
取付け板に貫通孔を形成し、
小径部とフランジ部とからなるフランジ付き中空管を、取付け板の貫通孔に挿通し、
浴室雰囲気と内部を隔離する可撓性密封配管であって、両端に接続部品を取付けた可撓性密封配管を用意し、
取付け板から突出したフランジ付き中空管の小径部に、可撓性密封配管の一方の接続部品を接続し、
浴室壁に貫通孔を設け、
フランジ付き中空管のフランジ部の端面と浴室壁内面の貫通孔とを合わせて固定し、可撓性密封配管の他方の接続部品を接続し、
浴室用テレビの後面から外へ引き出る電気配線を取付け板に取付けたフランジ付き中空管の内部へ通し、さらに、可撓性密封配管の内部へ通し、続いて、浴室壁に取付けたフランジ付き中空管の内部を通して、浴室外へ至らせる、
浴室用テレビの取付け方法。
【請求項４】
取付け板の貫通孔には、前面側に座くりを設けることを特徴とする請求項３に記載の浴室用テレビの取付け方法。
【請求項５】
フランジ付き中空管の小径部と可撓性密封配管の接続部品とが螺合されていることを特徴とする請求項１から４までのいずれか１つに記載の浴室用テレビの取付け方法。
【請求項６】
フランジ付き中空管の小径部と可撓性密封配管の接続部品とが接着されていることを特徴とする請求項１から４までのいずれか１つに記載の浴室用テレビの取付け方法。
【発明の詳細な説明】
【０００１】
【発明の属する技術分野】
本発明は、浴室内でテレビ放送を見るための浴室用テレビの取付け方法に関する。
【０００２】
【従来の技術】
浴室用テレビはブラウン管タイプも液晶タイプも、従来は、浴室壁に取付けられていた。
【０００３】
【特許文献１】
特開平  ２−２７７４２４
【特許文献２】
特開平１０−０２３３５６
【特許文献３】
特開平６−３５０９４１
【特許文献４】
特開平１０−０６８２３６
【０００４】
図７は液晶タイプの浴室用テレビの後面を示す概略図である。
【０００５】
液晶タイプの浴室用テレビ１は厚さ３〜４ｃｍ前後の長方形であり、後面１ｂの中央下部には、小径の通気口１ｃがあり、その近くからは電気配線４ａ、４ｂが外部へ引き出ている。電気配線４ａ、４ｂの根元は、浴室用テレビ１の後面１ｂに取付けたゴム膜部品１ｄによってある程度閉止されているが、隙間がある。したがって、通気口１ｃ及びゴム膜部品１ｄの隙間から水や蒸気が浴室用テレビの内部に侵入するおそれがある。水や蒸気が浴室用テレビの内部に侵入すると、早期故障の原因となる。
【０００６】
図５、図６は液晶タイプの浴室用テレビについて、従来の取付け方法を示す概略図である。浴室用テレビ１の後面の通気口及び電気配線を浴室外部へ逃すのに十分な大きさの貫通孔３ｆを浴室壁３に形成する。電気配線を貫通孔３ｆから外部へ逃すとともに、通気口が浴室壁によって閉鎖されないように貫通孔３ｆ内に配置して、浴室用テレビ１の後面を浴室壁に接触させて取り付ける。そして浴室用テレビ１の全周とこれに接する浴室壁との間にコーキング剤を注入して封止する。
【０００７】
すると、浴室雰囲気と浴室用テレビ内部とは隔離されるので、水や蒸気が浴室用テレビ内部に侵入しにくくなり、故障が起きにくくなる。また、通気口が浴室壁の貫通孔を介して浴室外の空気と連通しているので、浴室用テレビの内部で発生した熱を浴室外へ放出可能であるとともに、外気を浴室用テレビの内部へ流通させることができ、冷却を行うことができる。
【０００８】
【発明が解決しようとする課題】
しかしながら、浴室壁に直接に取付けるものであるから、壁から離れた取付け板等に浴室用テレビを取付けることができない。浴室内に電気配線を通すことになるが、水や蒸気から遮断することが考えられておらず、また、浴室用テレビの内部への外気の流通も困難であるためである。
【０００９】
一方、浴室壁から離れた取付け板等に浴室用テレビを取付ける必要性は、浴室壁にミラーが固定されている場合や浴槽近くにカウンターエプロンが設置されカウンターエプロンの外面に浴室用テレビを取付けたい場合に、生じる。
【００１０】
ゆえに、本発明の目的は、浴室壁から隔れた取付け板に浴室用テレビを取付ける方法を提供することである。
【００１１】
【課題を解決するための手段】
上記目的は、請求項１に記載の本発明に係る浴室用テレビの取付け方法、すなわち、浴室壁から隔れた取付け板に浴室用テレビを取付ける方法であって、取付け板に貫通孔を形成し、小径部とフランジ部とからなるフランジ付き中空管を、取付け板の貫通孔に挿通し、浴室雰囲気と内部を隔離する可撓性密封配管であって、両端に接続部品を取付けた可撓性密封配管を用意し、取付け板から突出したフランジ付き中空管の小径部に、可撓性密封配管の一方の接続部品を接続し、浴室壁に貫通孔を形成し、小径部とフランジ部とからなる、フランジ付き中空管を、浴室壁の貫通孔に挿通し、浴室壁から突出したフランジ付き中空管の小径部に、可撓性密封配管の他方の接続部品を接続し、浴室用テレビの後面から外へ引き出る電気配線を取付け板に取付けたフランジ付き中空管の内部へ通し、さらに、可撓性密封配管の内部へ通し、続いて、浴室壁に取付けたフランジ付き中空管の内部を通して、浴室外へ至らせる、浴室用テレビの取付け方法によって、達成される。
【００１２】
また、上記目的は、請求項３に記載の本発明に係る浴室用テレビの取り付け方法、すなわち、浴室壁から隔れた取付け板に浴室用テレビを取付ける方法であって、取付け板に貫通孔を形成し、小径部とフランジ部とからなるフランジ付き中空管を、取付け板の貫通孔に挿通し、浴室雰囲気と内部を隔離する可撓性密封配管であって、両端に接続部品を取付けた可撓性密封配管を用意し、取付け板から突出したフランジ付き中空管の小径部に、可撓性密封配管の一方の接続部品を接続し、浴室壁に貫通孔を設け、フランジ付き中空管のフランジ部の端面と浴室壁内面の貫通孔とを合わせて固定し、可撓性密封配管の他方の接続部品を接続し、浴室用テレビの後面から外へ引き出る電気配線を取付け板に取付けたフランジ付き中空管の内部へ通し、さらに、可撓性密封配管の内部へ通し、続いて、浴室壁に取付けたフランジ付き中空管の内部を通して、浴室外へ至らせる、浴室用テレビの取付け方法によっても、達成される。
【００１３】
【発明の実施の形態】
以下、本発明の実施形態について添付図面を参照して、詳細に説明する。
【００１４】
第１実施形態
図１は第１実施形態の浴室用テレビの取付け方法を説明する図である。浴室の内外を隔てる浴室壁３の近傍を示す正面図である。図１において浴室壁３の左側は浴室内であり、右側は浴室外である。
【００１５】
浴室壁３から離れた位置に取付け板２がほぼ垂直に立っている。取付け板２は、専用の浴室テレビ台の一部分やカウンターエプロンの一部分であっても良いし、浴槽の一部分であっても良い。取付け板２の前面２ａに座くり部２ｂを設け、後面２ｄに小径部２ｃを設けた座くり付き貫通孔を形成する。座くり部２ｂの形状・寸法は後述するフランジ付き中空管５１、５２のフランジ部５１ａ、５２ａのそれにほぼ対応している。また、小径部２ｃの形状・寸法はフランジ付き中空管５１、５２の小径部５１ｂ、５２ｂのそれにほぼ対応している。
【００１６】
フランジ付き中空管５１、５２は、小径部５１ｂ、５２ｂとフランジ部５１ａ、５２ａとを、中心軸を共通に一致させて連接した外形であり、内部にはほぼ同一径の中空部が段差なく滑らかな内面を持って形成されている。小径部５１ｂ、５２ｂの外面にはネジ溝が切ってある。フランジ付き中空管５１、５２の材質は、耐食性、耐カビ性があり、軽量で安価なものが望ましく、例えば、樹脂、テフロン（登録商標）、プラスチックス、ゴム、アルミニウム合金などを挙げることができる。
【００１７】
浴室壁３にも座くり付き貫通孔が形成されている。浴室壁３の外面３ｄに座くり部３ｃを設け、内面３ａに小径部３ｂを設けてある。
【００１８】
浴室用テレビ１は厚さ３〜４ｃｍ前後の長方形である。前面１ａには液晶ディスプレイ、スピーカー開口、電源ボタン、チャンネルボタン、音量ボタン等がある。後面１ｂには通気口があり、電気配線４ａ、４ｂ、４ｃが外部へ引き出されている。前面は蒸気や水の侵入が防止されている。しかし、後面の電気配線の引き出し部や通気口は開放されており、浴室用テレビ１の内部に蒸気や水が侵入する危険がある。
【００１９】
可撓性密封配管８は、浴室雰囲気と内部とを隔離するものであり、蒸気や水が内部に侵入するのを防いでいる。可撓性の本体部８ｃは、内面が滑らかで段差がないことが好ましく、材質としては、プラスチック、ゴム等を用いることができる。両端には袋ナット８ａ、８ｂが回転自在で、わずかに軸方向に移動可能に取付けられている。袋ナット８ａ、８ｂの内面にはネジ溝が切ってあり、形状・寸法はフランジ付き中空管５１、５２の小径部５１ｂ、５２ｂのそれとほぼ対応している。
【００２０】
ゴムパッキング６１、６２、６３、６４は円環状であり、内径はフランジ付き中空管５１，５２の小径部５１ｂ、５２ｂの外径とほぼ等しく、外径はフランジ付き中空管５１、５２のフランジ部の外径とほぼ等しい。厚さは１ｍｍ前後であり弾性を有する。
【００２１】
締めナット７１、７２も円環状であり、寸法・形状もゴムパッキング６１、６２、６３、６４とほぼ同じであるが、内面にネジ溝が切ってある。
【００２２】
使用する部品、部材は上記のとおりである。
【００２３】
初めに、ゴムパッキング６１を取付け板２の座くり部２ｂに納めた後に、フランジ付き中空管５１の小径部５１ｂをゴムパッキング６１の内部及び取付け板２の小径部２ｃに通す。
【００２４】
続いて、フランジ付き中空管５１の小径部５１ｂの先端は取付け板２の後面２ｄから突出しているが、突出している小径部５１ｂにゴムパッキング６２を嵌めた後に締め付けナット７１をフランジ付き中空管５１の小径部５１ｂに螺合させ、ネジ締めする。すると、フランジ付き中空管５１のフランジ部５１ａは座くり部２ｂの中に納まる。
【００２５】
その後に、可撓性密封配管８の袋ナット８ａをフランジ付き中空管５１の小径部５１ｂの先端近くに螺合させ、ネジ締めする。
【００２６】
一方、ゴムパッキング６４を浴室壁３の座くり部３ｃに納めた後に、フランジ付き中空管５２の小径部５２ｂをゴムパッキング６４の内部及び浴室壁３の小径部３ｂに通す。
【００２７】
続いて、フランジ付き中空管５２の小径部５２ｂの先端は浴室壁３の内面３ａから突出しているが、突出している小径部５２ｂにゴムパッキング６３を嵌めた後に締め付けナット７２をフランジ付き中空管５２の小径部５２ｂに螺合させ、ネジ締めする。すると、フランジ付き中空管５２のフランジ部５２ａは座くり部３ｃの中に納まる。
【００２８】
その後に、可撓性密封配管８の他方の袋ナット８ｂをフランジ付き中空管５２の小径部５２ｂの先端近くに螺合させ、ネジ締めする。
【００２９】
以上のようにして、取付け板２と浴室壁３との間を連結する密封通路を形成することができ、浴室雰囲気と内部とを隔離するとともに、内部に浴室用テレビの電気配線を通し、また、浴室外の空気を導入し、浴室用テレビの内部で生ずる熱を浴室外へ放出することができる。
【００３０】
第２実施形態
図２は第２実施形態の浴室用テレビの取付け方法を説明する図である。
【００３１】
第１実施形態と比較すると、フランジ付き中空管５３の浴室壁３への取付け方法のみが異なり、その他はほぼ同一である。
【００３２】
浴室壁３には貫通項３ｅが形成されている。貫通孔３ｅの直径は、フランジ付き中空管５３の中空部の直径やゴムパッキング６５の内径とほぼ同一である。
【００３３】
フランジ付き中空管５３のフランジ部５３ａには中心軸に平行である３個あるいは４個の貫通孔が中心軸のまわりに対称に形成されている。
【００３４】
浴室壁３の貫通孔３ｅとゴムパッキング６５の内径とフランジ付き中空部５３の中空部とを中心軸を合せて、順番に配置した後に、取付けねじ９１、９２をフランジ部５３ａの貫通孔を通して浴室壁３に内面３ａからネジ込んでネジ締めし、ゴムパッキングを間にはさんで、フランジ付き中空管５３を浴室壁３に固定する。フランジ付き中空管５３のフランジ部５３ａの端面が浴室壁３の内面３ａに近接し、小径部５３ｂが浴室壁３の内面３ａから垂直に、内部へ向かって突出している。
【００３５】
その後に、可撓性密封配管８の他方の袋ナット８ｂをフランジ付き中空管５３の小径部５３ｂに螺合させ、ネジ締めする。
【００３６】
以上のようにして、取付け板２と浴室壁３との間を連結する密封通路を形成することができ、浴室雰囲気と内部とを隔離するとともに、内部に浴室用テレビの電気配線を通し、また、浴室外の空気を導入し、浴室用テレビの内部で生ずる熱を浴室外へ放出することができる。
【００３７】
第３実施形態
図３は第３実施形態の浴室用テレビを取付けた後の状態を示す側面断面図である。
【００３８】
浴室壁３に平行して取付け板２が配置されている。取付け板２は浴室側カウンターエプロンの前板を兼ねている。取付け板２の後面２ｄと浴室壁３の内面３ａとの間は可撓性密封配管８によって連結されている。そして、取付け板２の前面２ａには浴室用テレビ１が密着されている。
【００３９】
図４は第３実施形態の浴室用テレビを取付けた後の状態を示す正面概略図である。
【００４０】
浴室壁３の内面にミラー３１が取付けられている。そして、ミラー３１の下方に浴槽側カウンターエプロンが取付けられている。このような状況にあっては、従来の取付け方法では浴室用テレビを取付けることはできない。しかし、本発明に係る浴室用テレビの取り付け方法によれば、浴槽側カウンターエプロンの前板である取付け板２の前面２ａに浴室用テレビ１を取付けることができる。
【００４１】
【発明の効果】
本発明に係る浴室用テレビの取り付け方法によれば、浴室壁から離れた取付け板に浴室用テレビを取付けることができ、浴室用テレビから引き出される電気配線を蒸気や水から遮断し守るとともに、浴室用テレビの後面の通気口へ浴室外の空気を導入し、浴室内の蒸気や水の侵入を防ぎつつ、浴室用テレビの内部で生ずる熱を浴室外へ放出することができる。
【図面の簡単な説明】
【図１】第１実施形態の浴室用テレビの取付け方法を説明する図である。
【図２】第２実施形態の浴室用テレビの取付け方法を説明する図である。
【図３】第３実施形態の浴室用テレビを取付けた後の状態を示す側面断面図である。
【図４】第３実施形態の浴室用テレビを取付けた後の状態を示す正面概略図である。
【図５】液晶タイプの浴室用テレビについて、従来の取付け方法を示す概略図である。
【図６】液晶タイプの浴室用テレビについて、従来の取付け方法を示す概略図である。
【図７】液晶タイプの浴室用テレビの後面を示す概略図である。
【符号の説明】
１  浴室用テレビ
１ａ  前面
１ｂ  後面
１ｃ  通気口
１ｄ  ゴム膜部品
２  取付け板
２ａ  前面
２ｂ  座くり部
２ｃ  小径部
２ｄ  後面
３  浴室壁
３ａ  内面
３ｂ  小径部
３ｃ  座くり部
３ｄ  外面
４ａ  電気配線
４ｂ  電気配線
４ｃ  電気配線
５１  フランジ付き中空管
５１ａ  フランジ部
５１ｂ  小径部
５２  フランジ付き中空管
５２ａ  フランジ部
５２ｂ  小径部
５３  フランジ付き中空管
５３ａ  フランジ部
５３ｂ  小径部
６１  ゴムパッキング
６２  ゴムパッキング
６３  ゴムパッキング
６４  ゴムパッキング
７１  締めナット
７２  締めナット
８    可撓性密封配管
８ａ  袋ナット
８ｂ  袋ナット
８ｃ  本体部
９１  取付けねじ
９２  取付けねじ
【図１】
2004275333.tif 000003
【図２】
2004275333.tif 000004
【図３】
2004275333.tif 000005
【図４】
2004275333.tif 000006
【図５】
2004275333.tif 000007
【図６】
2004275333.tif 000008
【図７】
2004275333.tif 000009